(57)【要約】【課題】組み込み式等のガスコンロの操作部の操作性と視認性及び安全性を向上させる。【解決手段】キッチンカウンター１４に組み込み設置されるコンロ本体１１と、コンロ本体を覆いキッチンカウンターの上面に載置される天板１３と、コンロ本体内に設け、天板上に臨むバーナ１５と、コンロ本体内に設け、バーナにガスの供給、遮断とガス流量の制御で火力調節を行うガス流量制御装置１６およびガス流量制御装置を制御し、バーナの点火−消火および火力調節の指示を行う制御手段２３と、制御手段にバーナの点火−消火および火力調節等の信号を送る操作部２５と、操作部近傍の温度を検知する温度検知器３３とを備え、操作部は天板の上面における周辺前部１３ａで、かつバーナの火炎の熱影響を考慮した位置に配置し、温度検知器が所定温度を検知した時バーナの火力を変更する火力変更制御手段を設けた組み込み式ガスコンロである。【選択図】図２
2005241028.tif 000002
【特許請求の範囲】
【請求項１】
コンロ本体と、前記コンロ本体の上部を覆う天板と、前記コンロ本体に設け、前記天板上に臨むバーナと、前記バーナへのガスの供給制御を行うガス流量制御装置と、前記ガス流量制御装置への制御信号を指示する制御手段と、前記制御手段に操作信号を送る操作部と、前記操作部の近傍の温度を検知する温度検知器を備え、前記操作部は前記天板と略同一面に配置し、前記制御手段は所定温度を検知した前記温度検知器に基き前記バーナの火力を変更または消火する火力変更制御手段を有するガスコンロ。
【請求項２】
火力変更制御手段は、温度検知器が検知する温度に応じてバーナの火力を調節し、前記検知温度が高くなるにつれてバーナの火力を減少させるとともに、所定の上限温度に達するとバーナを消火するように構成した請求項１記載のガスコンロ。
【請求項３】
表示部または報知部を設け、火力変更制御手段は温度検知器が所定温度を検知したとき、前記表示部または報知部に通常動作時と異なる表示または報知を行わせるようにした請求項１または請求項２に記載のガスコンロ。
【請求項４】
火力変更制御手段は、火力調節の状態に応じて表示形態または報知形態を変更するように構成した請求項２または請求項３に記載のガスコンロ。
【請求項５】
操作部の近傍にバーナからの熱を遮熱する遮熱手段を設けた請求項１〜４のいずれか１項に記載のガスコンロ。
【請求項６】
遮熱手段は、バーナと操作部の間に位置する天板上に、中空状態で内部に空気が流通する経路を有した略コの字状の遮熱壁を立設して構成した請求項５記載のガスコンロ。
【請求項７】
温度検知器は、遮熱壁内に設けて経路を流れる空気温度を検知する構成とした請求項６記載のガスコンロ。
【請求項８】
温度検知器は、その外表面の金属製素子カバーを遮熱壁に固定する構成とした請求項５〜７のいずれか１項に記載のガスコンロ。
【請求項９】
操作部は、タクトスイッチ、静電容量スイッチ等の軽く触って動作するソフトタッチ方式となる構成にした請求項１〜８のいずれか１項に記載のガスコンロ。
【請求項１０】
制御手段と操作部との信号伝達を、無線またはフラットケーブル等の有線で行う構成とした請求項１〜９のいずれか１項に記載のガスコンロ。
【発明の詳細な説明】
【技術分野】
【０００１】
本発明は、キッチンカウンターに組み込んで使用する組み込み式ガスコンロ、ガス置き台に載せて使用するガステーブル等のガスコンロに関し、特に操作部の構成に係るものである。
【背景技術】
【０００２】
従来、組み込み式ガスコンロは一般に加熱手段となるバーナの点火−消火（以下ＯＮ−ＯＦＦという）および火力調節は、器具本体であるコンロ本体の略垂直な前側面に設けた操作部で行っている。
【０００３】
また、操作部をコンロ本体の天板上に設けた場合、コンロ本体の両側のどちらか一方に設けるような構成もある（例えば、特許文献１参照）。このような構成において、図５に示すように、コンロ本体１は、天板２をキッチンカウンター３に載せて組み込み、そして天板２上に並設したバーナ４は手動機械式のガスコック５を介してガスを供給するように構成すると、ガスコック５の操作部となる摘み６が天板２の上面における左右どちらかに突出して設けねばならなくなる。図中、７はゴトクである。
【０００４】
しかしながら、上記従来の前者の構成では、コンロ本体の前側面の操作部でバーナのＯＮ−ＯＦＦおよび火力調節を行う場合、その操作部が通常、腰の高さにあり、身体を折り曲げる、または屈み込む等の不自然な姿勢を強いられ、操作がし難いのと操作の結果を見て確認する視認性が悪かった。
【０００５】
また、操作部である摘み６がコンロ本体１の天板２上にある上記従来の後者の構成では、ガス流量制御部と操作部が一体となった手動機械式のガスコック５がバーナ４にガスを供給するための配置がバーナの位置を考慮しなければならない。一方、ガスコック５の操作部である摘み６は、ガスコック５の配置と操作性に制約される等で、操作性のみを考慮して天板２上に摘み６を配置できず、また摘み自体の容積も大きく、極めて限られたスペースに限られた機能しか設けることができない。
【０００６】
また、摘み６がある高さを有するので、バーナ４の火炎の熱影響を受けて熱くなることが予想されるとともに、天板２上に突き出ているため天板２の拭き掃除等がし難い欠点を有している。
【０００７】
また、摘み６は天板２の左右いずれかに設けているので、キッチンカウンター３のスペースを摘み６の設置スペース分だけ狭くすることになり、摘み６を複数設ける場合、天板２の手前側から奥方向に複数の摘みを並べることになるため、奥に設けた摘みほど操作性が悪くなることが考えられる。
【特許文献１】特開２００２−８９８５４号公報
【発明の開示】
【発明が解決しようとする課題】
【０００８】
前記背景技術の問題点に鑑み、本発明が解決しようとする課題は、楽な姿勢で操作を行え、かつ視認性のよい操作部を備えるとともに、前記操作部がバーナからの熱的ストレスを受けず、安全で信頼性の高いガスコンロを提供することにある。
【課題を解決するための手段】
【０００９】
前記課題を解決するために、本発明のガスコンロは、コンロ本体と、前記コンロ本体の上部を覆う天板と、前記コンロ本体に設け、前記天板上に臨むバーナと、前記バーナへのガスの供給制御を行うガス流量制御装置と、前記ガス流量制御装置への制御信号の指示をする制御手段と、前記制御手段に操作信号を送る操作部と、前記操作部近傍の温度を検知する温度検知器を備え、前記操作部は前記天板と略同一面に配置し、前記制御手段は前記所定温度を検知した温度検知器に基き前記バーナの火力を変更または消火する火力変更制御手段を有する構成としてある。
【００１０】
これによって、操作部はガス流量制御装置およびその制御手段の設置位置に左右されることなく別個にでき、バーナの火炎による熱影響、操作性、視認性のみを考慮し、天板上の温度的に設置可能なバーナの熱影響が少ない天板の上面の周辺部に配置することが可能になり、操作性、視認性を向上できる。また、万一、バーナの火炎による熱影響が及ぶ事態になっても自動的に火力調整を行い、熱影響を回避するため、安全性、信頼性が確保できる。
【発明の効果】
【００１１】
本発明のガスコンロは、ガス流量制御装置およびその制御手段とは別個に操作部を天板の上面における周辺部に配置することができ、かつ操作部近傍の温度を検知する温度検知器に基き動作する制御手段の火力変更制御手段によりバーナの火力を変更または消化でき、操作性の良い位置に設置でき、操作がし易く、視認性が向上するとともに、バーナの火炎による操作部への熱影響を自動的に回避するため、安全性、信頼性が確保できる。
【発明を実施するための最良の形態】
【００１２】
第１の発明は、コンロ本体と、前記コンロ本体の上部を覆う天板と、前記コンロ本体に設け、前記天板上に臨むバーナと、前記バーナへのガスの供給制御を行うガス流量制御装置と、前記ガス流量制御装置への制御信号を指示する制御手段と、前記制御手段に操作信号を送る操作部と、前記操作部近傍の温度を検知する温度検知器を備え、前記操作部は前記天板と略同一面に配置し、前記制御手段は所定温度を検知した前記温度検知器に基き、前記バーナの火力を変更または消火する火力変更制御手段を有したガスコンロである。
【００１３】
これにより、天板上の温度的に設置可能な周辺部に、操作部を自由に配置することが可能になり、操作部の設置位置が容易に決められ、かつ操作性、視認性を高めることができるとともに、バーナの火炎による熱影響を自動的に回避して、安全性と信頼性を高めることができる。
【００１４】
第２の発明は、第１の発明の火力変更制御手段を、温度検知器が検知する温度に応じてバーナの火力を調節し、検知温度が高くなるにつれてバーナの火力を減少するとともに、所定の上限温度に達すると消火するように構成したもので、バーナの火炎による熱影響の度合いに応じて火力調節を行うことで、調理への影響と安全性及び信頼性のバランスのとれた回避動作を確保することができる。
【００１５】
第３の発明は、第１の発明または第２の発明において、表示部または報知部を設け、火力変更制御手段は温度検知器が所定温度を検知したとき、前記表示部または報知部に通常動作時と異なる表示または報知を行わせるようにしたもので、通常動作と異なる動作をしていることを的確に知らせることができ、使用者に正常な使用形態に戻す旨を促すことができる。
【００１６】
第４の発明は、第１の発明から第３の発明のいずれか一つにおいて、火力変更制御手段の作動状態に応じて表示形態または報知形態を変更するようにしたもので、第３の発明にもまして、通常と異なる動作の状態を詳細に知らせることができ、使用者に対する回避動作の選択幅を広げ、使い勝手の向上が図れる。
【００１７】
第５の発明は、第１の発明から第４の発明のいずれか一つにおいて、操作部近傍にバーナからの熱を遮熱する遮熱手段を設けたもので、バーナの火炎からの熱を遮熱し、操作部の温度上昇を低減できる。
【００１８】
第６の発明は、第５の発明の遮熱手段を、バーナと操作部の間に位置する天板上に、中空状態で内部に空気が流通する経路を有した略コの字状の遮熱壁を立設して構成したもので、バーナの火炎からの熱を遮熱し、操作部の温度上昇を低減できるとともに、鍋等が遮熱壁に置かれることで操作部に触ることがなくなり、ガスコンロが不意に動作するのを防止することもできる。
【００１９】
第７の発明は、第６の発明の遮熱壁内に温度検知器を設けて流れる空気温度を検知する構成としたもので、バーナの火炎からの熱影響度合いを迅速、かつ正確に検知することができる。
【００２０】
第８の発明は、第６の発明または第７の発明において、温度検知器はその金属製素子カバーを遮熱壁に固定する構成としたもので、バーナの火炎からの熱影響度合いを輻射と熱伝導により正確に検知することができ、誤動作のない正確な回避動作を行うことができる。
【００２１】
第９の発明は、第１の発明から第８の発明のいずれか一つにおいて、操作部はタクトスイッチや静電容量スイッチ等の軽く触って動作するソフトタッチ方式となる構成にしたことにより、操作部を天板と同程度の厚さで構成でき、デザイン的に有利になることはもちろん、天板上の掃除を容易に行うことができる。
【００２２】
第１０の発明は、第１の発明から第９の発明のいずれか一つにおいて、制御手段と操作部との信号伝達を、無線またはフラットケーブル等の有線で行うことにより、操作部を着脱自在にしてリモコンである遠隔操作部または天板の上面における周辺部にも設置することが可能になる。
【００２３】
以上のように本発明のガスコンロは、第１〜第１０の発明を実施の形態の要部とすることにより本発明の目的を達成できるので、以下には各請求項に対応する実施の形態の詳細を、図１〜図４を参照して説明し本発明を実施するための最良の形態の説明とする。なお、この実施の形態によって本発明が限定されるものではない。また、本実施の形態の説明において、同一構成並びに作用効果を奏するところには同一符号を付して重複した説明を行わないものとする。
【００２４】
（実施の形態１）
図１は、本発明の実施の形態１における組み込み式ガスコンロの要部切欠の上面図で、図２は同組み込み式ガスコンロの概略断面図で、図３は同組み込み式ガスコンロの温度検知器の取付部分の断面図で、図４は同組み込み式ガスコンロのガス流量制御部分のブロック図を示すものである。
【００２５】
図１〜図４において、機器本体であるコンロ本体１１は、箱状に成形されたケース１２で構成し、上部を天板１３で覆われている。そして、コンロ本体１１は、キッチンカウンター１４の開口部１４ａに落し込んで組み込まれ、天板１３はその外周縁を開口部１４ａの周縁部の上面に載置して設置されている。
【００２６】
ガスを燃料とするバーナ１５は、一部がケース１２内に位置して天板１３上に高く突き出ないように臨まして、天板１３の手前側の左右と、この左右間の真中にあって後側にそれぞれ配置した３個が設けられている。この３個のバーナ１５には、それぞれガス流量制御装置１６が配管され、各ガス流量制御装置１６を介してガスの供給と遮断、そしてガス流量の制御で火力調節が行われる。従って、図４では一つのバーナ１５にガスを供給するガス流量制御部分を例にして説明する。
【００２７】
ガス流量制御装置１６は、ガス流量制御板１７と、これに相対抗して左右に移動し、ガス流量制御板１７との合致する開口面積の変化で通過するガスの流量調節および供給と遮断を行うスライド閉子１８と、スライド閉子１８を作動させるモータとしてのステッピングモータ１９と、ステッピングモータ１９の回転を左右への移動に変換し、かつ単一の乾電池２個の電池電源２０で回転するステッピングモータ１９の回転力でも充分にスライド閉子１８を動かせるように増力可能なカム、ギア等の駆動力変換手段２１と、ステッピングモータ１９によるスライド閉子１８の位置を常に検出するエンコーダ２２とで構成され、ケース１２内でバーナ１５にガスを供給し易い位置に設けている。
【００２８】
制御手段２３はマイクロコンピュータおよびその周辺回路で構成され、ガス流量制御装置１６とは別個に構成されてケース１２内に設け、電力を得るため電池電源２０に接続し、かつバーナ１５のＯＮ−ＯＦＦおよび火力調節の指示を行うため、帯状のフラットケーブル２４を介してガス流量制御装置１６のステッピングモータ１９およびエンコーダ２２と接続している。
【００２９】
操作部２５は、電気接点方式のスイッチで、タクトスイッチ、静電容量スイッチ等を採用して軽く触っても動作するソフトタッチ方式に構成し、３個のバーナ１５にそれぞれ対応して設けたもので、ガス流量制御装置１６、制御手段２３とは別個に形成したものである。すなわち、操作部２５は、ガス流量制御装置１６と制御手段２３と別個に形成できるのは、ガス流量制御装置１６が電池電源２０を電源にし、かつパルス信号により回転するステッピングモータ１９により作動されるスライド閉止１８とガス流量制御板１７、エンコーダ２０で構成され、そして制御手段２３の制御の指示で動作するものであるからで、フラットケーブル２４で操作部２５を制御手段２３に電気的に接続するだけでバーナ１５のＯＮ−ＯＦＦおよび火力調節の信号を送ることが可能になる。
【００３０】
従って、操作部２５はガス流量制御装置１６、制御手段２３の設置位置に左右されることなく別個にして、バーナ１５の火炎による熱影響、操作性、視認性のみを考慮し、天板上の温度的に設置可能なバーナ１５の熱影響の少ない天板１３の上面における周辺部の一つで手前側である周辺前部１３ａに設け、制御手段２３とはフラットケーブル２４を介して接続して、使用者の手の指が触れることでバーナ１５のＯＮ−ＯＦＦおよび火力調節を行う信号を制御手段２３に送るものである。
【００３１】
また操作部２５は、天板１３の上面より僅かに盛り上げ、天板１３と略同一面の横長の操作部設置部２６に被覆されて操作部設置部２６の上面と面一に設け、かつそれぞれのバーナ１５の点火消火操作部２５ａと火力の上げ下げを行う近接した左右の火力調節操作部２５ｂを以って構成しており、これ以外にもガスコンロに機能を付加する場合には追加されるものである。
【００３２】
表示部２７は操作部２５である火力調節操作部２５ｂの真上に近接して５段階の火力調節と点火消火の表示ができるようにＬＥＤを操作部設置部２６に並設しており、操作部２５である点火消火操作部２５ａと火力調節操作部２５ｂに使用者の指等が触れるのに連動して点灯、消灯できるようにフラットケーブル２４を介して制御手段２３に接続している。
【００３３】
遮熱手段としての遮熱壁２８は、中空状態で内部に空気が流通する経路を有した略コの字状に形成し、バーナ１５と操作部２５、表示部２７の間に天板１３の上面より突出して横長に設け、バーナ１５の火炎による加熱から操作部２５、表示部２７を護り、熱的影響を軽減するものである。そして、遮熱壁２８はバーナ１５が高さを低く（天板１３より突き出ている部分）しているので、同じように高さをできるだけ低く設定している。
【００３４】
また、遮熱壁２８はバーナ１５側に対向した面と遮熱壁２８の内底面とに複数の通気孔２９、３０を設けている。従って、バーナ１５が燃焼しているときはコンロ本体１１であるケース１２内がやや温度が上昇することも作用して矢印で示すように二次燃焼用の空気が通気孔２９、遮熱壁２８の内部空間、通気孔３０を経てケース１２に流れバーナ１５の燃焼に使用され、バーナ１５が消火すると矢印と逆に空気の流れが生じてケース１２内のやや温度上昇した空気を素早く排出するもので、いずれの状態にあっても遮熱壁２８の内部空間の経路に空気の流動が生じるので遮熱作用に貢献できるものである。
【００３５】
バックガード３１は、天板１３の後側周辺部を徐々にやや上向きに傾斜させた前傾斜面３１ａとこの前傾斜面の頂上より急に下降した後傾斜面３１ｂとを有し、後傾斜面３１ｂに複数の通気孔３２を形成して、前記した遮熱壁２８の通気孔２９、３０と同様の作用効果、つまり二次燃焼用の空気のケース１２内への流入、そしてケース１２内の温度上昇した空気の排出を期待する構成にしたものである。
【００３６】
温度検知器３３は、図２に示すように操作部２５の近傍の温度を検知するため、遮熱壁２８内に配置するとともに、図３に示すように遮熱壁２８内の経路にあって、ここを流れる空気の温度も検知でき、かつバーナ１５の火炎からの熱影響度合いを輻射熱と熱伝導により検知するため、素子を覆っている金属製素子カバー３３ａを金属製の遮熱壁２８に直接に取付けている。このように遮熱壁２８内に設けた構成で以って操作部２５の近傍の温度を検知する温度検知器３３は検知した信号が、バーナ１５のガス流量制御装置１６への制御信号を出力する制御手段２３に設けた火力変更制御手段２３ａに取り込まれるように接続している。
【００３７】
火力変更制御手段２３ａは、操作部２５がバーナ１５の火炎からの熱影響で好ましくない所定温度を温度検知器３３が検知し、この検知信号を取り込むと、バーナ１５の火力を変更するべく、ガス流量制御装置１６を制御してガス供給量を減らし、引き続いて温度検知器３３の検知した温度信号が徐々に高くなっていく場合には、これに対応してガス流量制御装置１６を制御してガス供給量を徐々に減らしてバーナ１５の火力を減少させ、そして温度検知器３３の検知した温度信号が所定の上限温度に達すると、ガス流量制御装置１６を制御してガス供給量を停止し、バーナ１５を消火する制御シーケンスを実行する制御フローを有している。
【００３８】
また、火力変更制御手段２３ａは温度検知器３３が前記したように所定温度を検知した時、ガスコンロの通常の動作時と異なる表示をするように表示部２７を制御す。例えば、使用中の火力状態を示す表示部２７のＬＥＤが５個点灯しているのであれば、温度検知器３３が所定温度を検知した時、この５個を点滅させる表示制御と、温度検知器３３の検知した温度信号が徐々に高くなり、これに対応してガス流量制御装置１６を制御してガス供給量を徐々に減らしてバーナ１５の火力を減少させた火力状態を示す表示部２７のＬＥＤが３個点灯しているのであれば、この３個を点滅させて火力変更制御手段２３ａの火力調節状態に応じた表示制御を行う制御シーケンスを実行する制御フローも有している。
【００３９】
なお、天板１３の一部である操作部設置部２６に設けてある操作部２５である点火消火操作部２５ａ、火力調節操作部２５ｂ、表示部２７は、その表面を樹脂製のメンブレムにより覆われ、点火消火操作部２５ａ、火力調節操作部２５ｂはその下部にタクトスイッチを搭載した基板（図示せず）を設置することにより構成され、基板にはフラットケーブル２４の一端が接続され、他端はガス流量制御装置１６の制御手段２３に接続されている。また、図中３４はゴトク、３５は天板１３に設けたバーナ突出用開口部、３６はガス流量制御装置１６の手前に配管接続した元電磁弁で、ステッピングモータ１９、エンコーダ２２の故障、フラットケーブル２４の断線等の発生または電源停止等で制御不能の時にガスの供給を遮断する。３７は操作部２５と同様の構成で以って設けた操作部２５の一つである電源操作部で、ガスコンロの使用安全を図るため、電池電源２０をＯＮ、ＯＦＦする電源スイッチである。３８は放電によりバーナ１５から噴出するガスに点火する放電点火手段である。
【００４０】
以上のように構成された組み込み式ガスコンロについて、以下その動作、作用を説明する。使用者は電源操作部３７を軽く押すと、電池電源２０が制御手段２３に供給される。続いて、操作部２５の点火消火操作部２５ａを押すと点火の信号がフラットケーブル２４を介して制御手段２３に送られ、そして制御手段２３により表示部２７の一つが点灯されるとともに、放電点火手段３８が放電を始める。
【００４１】
また、フラットケーブル２４を介して信号が伝達されたガス流量制御装置１６のステッピングモータ１９が駆動されてスライド閉止１８が移動してガスがバーナ１５に供給され、放電を始めた放電点火手段３８により点火されバーナ１５に火炎が形成される。
【００４２】
そして、左右いずれかの火力調節操作部２５ｂを使用者が押すと、その押す回数により表示部２７の点灯数が増減し、また制御手段２３は火力調節操作部２５ｂの押す回数の信号とエンコーダ２２からのスライド閉止１８の位置に対応したステッピングモータ１９の現在置の信号をそれぞれ取り込み、スライド閉止１８をスライドさせる値を演算してステッピングモータ１９にパルス信号を送る。
【００４３】
そして、このステッピングモータ１９により作動されてガス流量制御装置１６が火力調節操作部２５ｂの設定値になるようにガス流量を制御してバーナの燃焼量が制御されて火力が調節される。また、バーナ１５の消火を行うときは、点火消火操作部２５ａを再び押すことで消火の信号の伝達された制御手段２３は、ステッピングモータ１９を駆動してスライド閉止１８を閉じるとともに、表示部２７も消灯するものである。
【００４４】
このように本実施の形態では、バーナ１５にガスの供給、遮断とガス流量の制御で火力調節を行うガス流量制御装置１６およびその制御手段２３をコンロ本体１１のケース１２内に設置し、一方、操作部２５はガス流量制御装置１６およびその制御手段２３の設置位置に左右されることなく別個に設置できるので、バーナ１５の火炎による熱影響、操作性、視認性のみを考慮し、天板１３上の温度的に設置可能なバーナ１５の火炎の熱影響が少ない天板１３の上面における周辺部の一つである周辺前部１３ａに配置することが可能になる。
【００４５】
従って、使用者はキッチンカウンター１４におけるガスコンロの天板１３の手前に立った姿勢で操作部２５を上から見ながら、手を出して上方より操作部２５を操作でき、操作性、視認性を大幅に向上させることができる。そして、表示部２７も操作部２５の操作に連動してコンロ本体１１の作動状態を操作部２５の近くで表示するので、操作部２５は表示部２７を立った姿勢で見ながら操作でき、視認性、操作性を一層、向上させることができる。
【００４６】
また、操作部２５の近傍の温度を検知する温度検知器３３が、操作部２５に熱影響を与える所定温度を検知すると、この信号を取り込んだ制御手段２３の火力変更制御手段２３ａは、ガス流量制御装置１６を制御してバーナ１５の火力を低減させるので、バーナの火炎による熱影響を自動的に回避して、安全性と信頼性を高めることができる。さらに、火力変更制御手段２３ａは、温度検知器３３の検知する温度が徐々に高くなっていくと、これに応じてガス流量制御装置１６を制御してバーナ１５の火力を調節して徐々に減少させていき、それでも温度検知器３３の検知温度が高くなり、ついに所定の上限温度に達するとガス流量制御装置１６を制御してバーナ１５を消火するので、バーナの火炎による熱影響の度合いに応じて火力調節を行い、調理への影響と安全性及び信頼性のバランスのとれた回避動作を確保することができる。
【００４７】
また、制御手段２３の火力変更制御手段２３ａは、温度検知器３３が操作部２５の近傍の所定温度を検知したとき、ガスコンロが通常動作で使用され、表示部２７のＬＥＤが５個点灯している時、この５個を点滅させる表示制御を行い、ガスコンロが通常動作と異なる動作をしていることを的確に知らせることができ、使用者に正常な使用形態に戻す旨を促すことができる。
【００４８】
そして、更に制御手段２３の火力変更制御手段２３ａは上記したように操作部２５の近傍の温度を検知している温度検知器３３の検知した所定の温度信号が、なおも徐々に高くなっていくと、これに対応してガス流量制御装置１６を制御してバーナ１５の火力を減少させるだけでなく、この火力調節状態を表示部２７のＬＥＤが火力調節で減らされて点灯している３個を点滅させるので、上記したように５個を点滅させてガスコンロが通常動作と異なる動作をしていた状態を、さらに詳細に知らせることができ、使用者に対する回避動作の選択幅を広げ、使い勝手の向上が図れる。
【００４９】
また、操作部２５の近傍で操作部２５とバーナ１５との間において天板上に設置され、中空状態で内部に空気が流通する経路を有した略コの字状の遮熱壁２８によりバーナ１５からの熱を遮熱するので、操作部２５の温度上昇を低減するとともに、鍋等が遮熱壁２８に置かれることで操作部２５に触ることがなくなり、操作部２５が鍋等で誤操作されるのを防止でき、ガスコンロが不意に動作するのを防止することがきる。特に、遮熱壁２８内に温度検知器３３を設けて流れる空気温度を検知するので、バーナの火炎からの熱影響度合いを迅速、かつ正確に検知することができ、しかも温度検知器３３はその金属製素子カバー３３ａを遮熱壁２８に直接に固定しているので、バーナ１５の火炎からの熱影響度合いを輻射熱と熱伝導により正確に検知することができ、誤動作のない正確な回避動作を行うことができる。
【００５０】
また、操作部２５はタクトスイッチや静電容量スイッチ等の軽く触って動作するソフトタッチ方式に構成したので、操作部２５を天板１３と同程度の厚さで構成でき、デザイン的に有利になることはもちろん、天板上の掃除を容易に行うことができる。なお、天板１３を耐熱強化ガラスで構成した場合には、操作部２５を静電容量方式のスイッチに構成することも可能で、使用者は静電容量方式のスイッチである操作部に対向する耐熱強化ガラスの上面に指を触れるだけでよいことになる。そして、上記実施の形態では操作部設置部２６を天板１３の上面より僅かに盛り上げたが、逆に天板１３の上面より僅かに下げてもよく、従って天板と略同一面であればよく、また天板１３の上面と同一面にしてもよいものである。
【００５１】
また、ガス流量制御装置１６の制御手段２３と操作部２５との信号伝達は、フラットケーブル２４の有線で行っているので、表示部２７、操作部２５の設けてある操作部設置部２６の全体を、天板１３に対して着脱自在にしてリモコンである遠隔操作方式にすることも可能になり、一層便利に使用できる。
【００５２】
なお、上記実施の形態では、ガスコンロの操作部２５を、天板１３の上面における手前側周辺部である周辺前部１３ａに横方向に配置したが、天板１３の左側周辺部または右側周辺部、そして天板１３の上面における手前側周辺部、左側周辺部、右側周辺部のそれぞれに分けて操作部を設けることも可能で、本発明と同等の作用効果を期待できるものである。
【００５３】
また、上記実施の形態では、ガス流量制御装置１６の制御手段２３と操作部２５との間の信号伝達を、フラットケーブル２４を使用した有線で行っているが、無線で行っても良いもので、この場合では送信部と受信部を制御手段２３と操作部２５に付加する必要があり、そして無線方式場合は操作部２５を天板１３の上面に着脱自在に設置して遠隔操作部としてのリモコン方式にする構成も可能である。
【００５４】
また、上記実施の形態では本発明を組み込み式ガスコンロに採用したが、据え置き型のガステーブルの操作部にも同様の構成が適用でき、本発明と同等の作用効果を期待できるものである。
【００５５】
また、上記実施の形態ではガス流量制御装置１６としてモータにより作動されてガスの供給、遮断とガス流量の調節を行っているが、本発明はこれに限定されるものではなく、目的を達成できる範囲内で種々、変更できるものである。
【００５６】
また、上記実施の形態は表示部２７に代え報知部であってもよく、本発明の目的の範囲内で種々変更できる。
【産業上の利用可能性】
【００５７】
以上のように本発明にかかるガスコンロは、操作部を操作性の良い位置に設置でき、操作がし易く、視認性が向上するとともに、バーナの火炎による操作部への熱影響を自動的に回避できて安全性、信頼性が確保でき、ガスコンロ、ガステーブル等の操作部分を改善する技術に適用できる。
【図面の簡単な説明】
【００５８】
【図１】本発明の実施の形態１における組み込み式ガスコンロの要部切欠の上面図
【図２】同実施の形態１における組み込み式ガスコンロの概略断面図
【図３】同実施の形態１における組み込み式ガスコンロの温度検知器取付け部の断面図
【図４】同実施の形態１における組み込み式ガスコンロのガス流量制御部分のブロック図
【図５】従来の組み込み式ガスコンロの概略断面図
【符号の説明】
【００５９】
１１  コンロ本体
１３  天板
１３ａ  周辺前部
１５  バーナ
１６  ガス流量制御装置
２３  制御手段
２３ａ  火力変更制御手段
２４  フラットケーブル
２５  操作部
２５ａ  点火消火操作部
２５ｂ  火力調節操作部
２７  表示部
２８  遮熱壁
３３  温度検知器
３３ａ  金属製素子カバー
【図１】
2005241028.tif 000003
【図２】
2005241028.tif 000004
【図３】
2005241028.tif 000005
【図４】
2005241028.tif 000006
【図５】
2005241028.tif 000007